(57)【特許請求の範囲】
【請求項１】
刈刃と掻込みリールを有する刈取部と、扱胴を有する脱穀部と、走行部及びエンジンを設ける走行機体を備え、前記掻込みリールをリール昇降支点軸に支持高さ変更可能に設けるコンバインにおいて、
前記リール昇降支点軸上に配置したリール駆動プーリとリール駆動ベルトを介して前記掻込みリールに駆動力を伝達する構造であって、前記リール駆動ベルトのリール駆動テンションプーリを、前記リール昇降支点軸上に配置したリール駆動テンションアームに取付けたことを特徴とするコンバイン。
【請求項２】
前記掻込みリールを昇降支持フレームの先端側に取付ける構造であって、前記刈取部機筐の昇降支点ボス部に前記リール昇降支点軸の一端側を着脱可能に係合固定し、前記リール昇降支点軸の一端側に前記昇降支持フレームの基端側を軸支すると共に、昇降支点ボス部から前記リール昇降支点軸の他端側を機外側方に向けて延設し、前記リール昇降支点軸の機外側部に前記リール駆動プーリとリール駆動テンションアームを回動可能に軸支したことを特徴とする請求項１に記載のコンバイン。
【請求項３】
前記リール駆動プーリにリール駆動スプロケットを一体的に締結固定し、前記リール駆動スプロケットを介して前記刈取部に伝達される駆動力を分岐入力し、前記リール駆動プーリを介して前記掻込みリールに前記駆動力を伝達するように構成したことを特徴とする請求項１に記載のコンバイン。
【請求項４】
前記刈取部機筐の昇降支点ボス部に前記リール昇降支点軸の一端側を支持させ、前記リール昇降支点軸の中間部に前記リール駆動プーリとリール駆動スプロケットを軸支し、前記リール昇降支点軸の他端側に前記リール駆動テンションアームを軸支したことを特徴とする請求項１に記載のコンバイン。
【発明の詳細な説明】
【技術分野】
【０００１】
本願発明は、圃場の未刈り穀稈を刈取る刈取部と、刈取り穀稈の穀粒を脱粒する脱穀部を搭載したコンバインに関するものである。
【背景技術】
【０００２】
従来、走行部及び運転座席を有する走行機体と、刈刃と掻込みリールを有する刈取部と、扱胴を有する脱穀部と、刈取部から脱穀部に刈取り穀稈を供給するフィーダハウスと、各部を駆動するエンジンを備え、圃場の未刈り穀稈を連続的に刈取って脱穀する技術がある（特許文献１〜３参照）。
【先行技術文献】
【特許文献】
【０００３】
【特許文献１】特開２００５−２１１０４４号公報
【特許文献２】特開２０１４−１９３１１６号公報
【特許文献３】特許第５５９９６９７号公報
【発明の概要】
【発明が解決しようとする課題】
【０００４】
小さい面積の圃場における収穫作業では、穀稈の刈取幅を確保しながら機体全体をコンパクトに構成可能な軽量構造のコンバインが望まれている。従来技術では、掻込みリールの昇降支持フレームに、リール駆動テンションプーリとリール駆動テンションアームを設けるから、昇降支持フレーム基端側に負荷される掻込みリール支持荷重を容易に軽減できないばかりでなく、掻込みリールの駆動構造が複雑に構成され、刈取部（コンバイン全体）の小型化を簡単に考慮できない等の構造上の問題がある。
【０００５】
そこで、本願発明は、これらの現状を検討して改善を施した普通型コンバインを提供しようとするものである。
【課題を解決するための手段】
【０００６】
前記目的を達成するため、請求項１に係る発明のコンバインは、刈刃と掻込みリールを有する刈取部と、扱胴を有する脱穀部と、走行部及びエンジンを設ける走行機体を備え、前記掻込みリールをリール昇降支点軸に支持高さ変更可能に設けるコンバインにおいて、前記リール昇降支点軸上に配置したリール駆動プーリとリール駆動ベルトを介して前記掻込みリールに駆動力を伝達する構造であって、前記リール駆動ベルトのリール駆動テンションプーリを、前記リール昇降支点軸上に配置したリール駆動テンションアームに取付けたものである。
【０００７】
請求項２に記載の発明は、請求項１に記載のコンバインにおいて、前記掻込みリールを昇降支持フレームの先端側に取付ける構造であって、前記刈取部機筐の昇降支点ボス部に前記リール昇降支点軸の一端側を着脱可能に係合固定し、前記リール昇降支点軸の一端側に前記昇降支持フレームの基端側を軸支すると共に、昇降支点ボス部から前記リール昇降支点軸の他端側を機外側方に向けて延設し、前記リール昇降支点軸の機外側部に前記リール駆動プーリとリール駆動テンションアームを回動可能に軸支したものである。
【０００８】
請求項３に記載の発明は、請求項１に記載のコンバインにおいて、前記リール駆動プーリにリール駆動スプロケットを一体的に締結固定し、前記リール駆動スプロケットを介して前記刈取部に伝達される駆動力を分岐入力し、前記リール駆動プーリを介して前記掻込みリールに前記駆動力を伝達するように構成したものである。
【０００９】
請求項４に記載の発明は、請求項１に記載のコンバインにおいて、前記刈取部機筐の昇降支点ボス部に前記リール昇降支点軸の一端側を支持させ、前記リール昇降支点軸の中間部に前記リール駆動プーリとリール駆動スプロケットを軸支し、前記リール昇降支点軸の他端側に前記リール駆動テンションアームを軸支したものである。
【発明の効果】
【００１０】
請求項１に記載の発明によれば、刈刃と掻込みリールを有する刈取部と、扱胴を有する脱穀部と、走行部及びエンジンを設ける走行機体を備え、前記掻込みリールをリール昇降支点軸に支持高さ変更可能に設けるコンバインにおいて、前記リール昇降支点軸上に配置したリール駆動プーリとリール駆動ベルトを介して前記掻込みリールに駆動力を伝達する構造であって、前記リール駆動ベルトのリール駆動テンションプーリを、前記リール昇降支点軸上に配置したリール駆動テンションアームに取付けたものであるから、昇降支持部に負荷される前記掻込みリール支持荷重を容易に軽減でき、前記掻込みリールの駆動構造を簡略化でき、前記刈取部（コンバイン全体）の小型軽量化を簡単に実行できる。また、前記掻込みリール駆動部の部品点数を削減できるものでありながら、前記掻込みリールの速度調節範囲を広くできる。前記リール駆動ベルトにリール駆動テンションプーリを押付ける位置が略一定位置になり、容易にテンション調節できる。
【００１１】
請求項２に記載の発明によれば、前記掻込みリールを昇降支持フレームの先端側に取付ける構造であって、前記刈取部機筐の昇降支点ボス部に前記リール昇降支点軸の一端側を着脱可能に係合固定し、前記リール昇降支点軸の一端側に前記昇降支持フレームの基端側を軸支すると共に、昇降支点ボス部から前記リール昇降支点軸の他端側を機外側方に向けて延設し、前記リール昇降支点軸の機外側部に前記リール駆動プーリとリール駆動テンションアームを回動可能に軸支したものであるから、前記掻込みリール及び昇降支持フレームなどの昇降部構造を簡単に軽量化でき、前記昇降支持フレームの基端部に負荷される掻込みリール支持荷重を容易に軽減できるものでありながら、前記掻込みリールの着脱作業性または掻込みリール駆動部のメンテナンス作業性などを向上できる。
【００１２】
請求項３に記載の発明によれば、前記リール駆動プーリにリール駆動スプロケットを一体的に締結固定し、前記リール駆動スプロケットを介して前記刈取部に伝達される駆動力を分岐入力し、前記リール駆動プーリを介して前記掻込みリールに前記駆動力を伝達するように構成したものであるから、前記リール駆動スプロケットとリール駆動プーリの軸受構造（軸受ベヤリングなど）を簡略化でき、前記掻込みリール駆動構造の構成部品数を削減でき、前記掻込みリール駆動構造を低コストで構成できる。
【００１３】
請求項４に記載の発明によれば、前記刈取部機筐の昇降支点ボス部に前記リール昇降支点軸の一端側を支持させ、前記リール昇降支点軸の中間部に前記リール駆動プーリとリール駆動スプロケットを軸支し、前記リール昇降支点軸の他端側に前記リール駆動テンションアームを軸支したものであるから、前記リール昇降支点軸を介して前記掻込みリールを取付けた状態下で、前記リール駆動プーリとリール駆動スプロケットを簡単に着脱できると共に、前記リール駆動プーリとリール駆動スプロケットを取付けた状態下で、前記リール駆動テンションアームを簡単に着脱できる。前記掻込みリールの組付け作業性または前記掻込みリール駆動部のメンテナンス作業性などを容易に向上できる。
【図面の簡単な説明】
【００１４】
【図１】本発明の第１実施形態を示す普通型コンバインの左側面図である。
【図２】同コンバインの平面図である。
【図３】同コンバインの右側面図である。
【図４】図１の拡大説明図である。
【図５】図２の拡大説明図である。
【図６】図３の拡大説明図である。
【図７】左側後方から視た走行機体の斜視図である。
【図８】右側前方から視た走行機体の斜視図である。
【図９】走行機体の左側説明図である。
【図１０】走行機体の右側説明図である。
【図１１】走行機体の平面説明図である。
【図１２】普通型コンバインの駆動系統図である。
【図１３】右側後方から視た走行機体の斜視図である。
【図１４】図１３の拡大説明図である。
【図１５】籾受部を後方から視た走行機体の斜視図である。
【図１６】エンジンの駆動伝達部を後方から視た走行機体の斜視図である。
【図１７】図１６の拡大説明図である。
【図１８】エンジンの駆動伝達部のカバー構造を示す走行機体の斜視図である。
【図１９】揺動選別部を示す走行機体の斜視図である。
【図２０】刈取部の左側説明図である。
【図２１】刈取部の上面斜視図
【図２２】掻込みリール駆動部を上面左側から視た斜視図である。
【図２３】掻込みリール駆動部を上面右側から視た斜視図である。
【図２４】掻込みリール駆動部の断面平面図である。
【図２５】エンジンの駆動伝達部を示す右側説明図である。
【発明を実施するための形態】
【００１５】
以下に、本願発明を具体化した実施形態を、普通型コンバインに適用した図面（図１〜図２３）に基づいて説明する。まず、図１〜図６を参照しながら、普通型コンバインの概略構造について説明する。なお、以下の説明では、走行機体１の前進方向に向かって左側を単に左側と称し、同じく前進方向に向かって右側を単に右側と称する。
【００１６】
図１〜図６に示す如く、実施形態における普通型コンバインは、走行部としてのゴムクローラ製の左右一対の履帯２にて支持された走行機体１を備える。走行機体１の前部には、稲（または麦）等の未刈り穀稈を刈取りながら取込む刈取部３が単動式の昇降用油圧シリンダ４にて昇降調節可能に装着されている。
【００１７】
走行機体１の前部上面には、刈取部３から供給された刈取穀稈を脱穀処理するための脱穀部９を搭載する。脱穀部９の内部には、後述する穀稈脱粒ロータとしての扱胴２１と、脱穀物の選別を行う穀粒選別機構１０を配置する。走行機体１の後部右側には、オペレータが操縦する運転操作部５を搭載する。動力源としてのエンジン７を、走行機体１の中央部に配置する。走行機体１の後部左側（運転操作部５の左側方）には、脱穀部９から穀粒を取出す籾受部６を配置する。籾受部６に向けて脱穀部９内の穀粒を穀粒排出コンベヤ８にて搬出するように構成している。
【００１８】
刈取部３は、脱穀部９前部の扱口供給部に連通したフィーダハウス１１と、フィーダハウス１１の前端に連設された横長バケット状の穀物ヘッダー１２とを備える。穀物ヘッダー１２内に掻込みオーガ１３（プラットホームオーガ）を回転可能に軸支する。掻込みオーガ１３の前部上方にタインバー付き掻込みリール１４を配置する。穀物ヘッダー１２の前部にバリカン状刈刃１５を配置する。穀物ヘッダー１２前部の左右両側に左右の分草体１６を突設する。また、フィーダハウス１１に供給コンベヤ１７を内設する。なお、フィーダハウス１１の下面部と走行機体１の前端部とが昇降用油圧シリンダ４を介して連結され、後述する刈取入力軸１８（フィーダハウスコンベヤ軸）を昇降支点として、刈取部３が昇降用油圧シリンダ４にて昇降動する。
【００１９】
上記の構成により、左右の分草体１６間の未刈り穀稈の穂先側が掻込みリール１４にて掻込まれ、未刈り穀稈の稈側が刈刃１５にて刈取られ、掻込みオーガ１３の回転駆動によって、穀物ヘッダー１２の左右幅の中央部寄りのフィーダハウス１１入口付近に刈取穀稈が集められる。穀物ヘッダー１２の刈取穀稈の全量は、フィーダハウス１１内の供給コンベヤ１７によって搬送され、脱穀部９の扱口供給板９ａに投入されるように構成している。なお、図１の仮想線に示す如く、穂先側が刈取られた後の穀稈の稈元を切断する稈元切断刃１９を備え、走行機体１前部に稈元切断刃１９を着脱可能に取付け、穀物ヘッダー１２の後方に稈元切断刃１９を昇降可能に配置している。
【００２０】
また、図４〜図６に示す如く、脱穀部９の扱室２２内に扱胴２１を回転可能に設ける。走行機体１の左右方向に延長させた扱胴軸２０に扱胴２１を軸支する。扱胴２１の下方側には、穀粒を漏下させる受網２４を張設する。なお、供給コンベヤ１７の穀稈送り終端側に連通させる扱口供給板９ａが、扱室２２の左側下部に形成される一方、扱室２２の右側下部に排塵口２３が形成されている。
【００２１】
上記の構成により、供給コンベヤ１７によって扱口供給板９ａから投入された刈取穀稈は、扱胴２１の回転によって走行機体１の左側から右側に向けて搬送されながら、扱胴２１と受網２４との間などにて混練されて脱穀される。受網２４の網目よりも小さい穀粒等の脱穀物は受網２４から漏下する。受網２４から漏下しない藁屑等は、扱胴２１の搬送作用によって、扱室２２右側下部の排塵口２３から圃場に排出される。
【００２２】
加えて、図１９に示す如く、扱胴２１の下方に配置された穀粒選別機構１０として、比重選別用の揺動選別盤２６を備える。揺動選別盤２６は、扱口供給板９ａの下方に配置させる流穀平板体２７と、受網２４の下方に配置させる穀粒漏下用の多孔板体２８と、多孔板体２８右側端部の下方に配置するグレンシーブ２９等にて構成する。また、揺動選別盤２６の左側端部を支持する一対の左側揺動ガイド体３０ａと、揺動選別盤２６の右側端部を支持する一対の右側揺動ガイド体３０ｂを備え、左右の揺動ガイド体３０ａ，３０ｂにて揺動選別盤２６を上下左右に移動可能に構成すると共に、揺動選別盤２６の右側端部を支持するクランク型揺動駆動軸３１を備え、クランク型揺動駆動軸３１にて揺動選別盤２６を左右方向に往復移動させるように構成している。揺動選別盤２６右側端部に設けた排塵流下板体２３ａ上面側に排塵口２３を形成し、排塵流下板体２３ａ上面を介して、扱室２２右側開口部の排塵口２３または揺動選別盤２６の右側端部から藁屑が機外に排出されるように構成している。
【００２３】
また、穀粒選別機構１０として、揺動選別盤２６に選別風を供給する送風ファン３４及び送風ファンダクト３５と、揺動選別盤２６の下方に横架させる穀粒取出コンベヤ３６を備える。脱穀部９の左側部において、脱穀部９と籾受部６の間に前低後高姿勢に穀粒排出コンベヤ８を延設させる。揺動選別盤２６の左側端部の下面側に送風ファンダクト３５の排風口３５ａを開口させ、揺動選別盤２６の左側から右側方向に送風ファン３４の選別風を供給する。排風口３５ａに対向させて上手側と下手側の各風向ガイド板体３５ｂ，３５ｃを備える。流穀平板体２７の下方に上手側風向ガイド板体３５ｂを配置させ、上手側風向ガイド板体３５ｂにて排風口３５ａからの選別風を流穀平板体２７の下面側全域に均一分散させると共に、穀粒漏下用の多孔板体２８の下方に下手側風向ガイド板体３５ｃを配置させ、下手側風向ガイド板体３５ｃの案内にて多孔板体２８の下面側から上面方向に向けて選別風を移動させるように構成している。一方、穀粒取出コンベヤ３６左側端部の送り終端側に、穀粒排出コンベヤ８前端部の送り始端側を連結させる。扱胴２１にて脱穀されて受網２４から漏下した脱穀物は、揺動選別盤２６の比重選別作用と送風ファン２９の風選別作用とにより、重い穀粒と、軽い藁屑等に選別されるように構成している。
【００２４】
揺動選別盤２６の漏下多孔板体２８から下方に落下した重い穀粒は、穀粒取出コンベヤ３６から穀粒排出コンベヤ８に取出され、籾受部６の籾袋３７に収集される。即ち、籾受部６には、走行機体１右側後端部に台支持フレーム３８ａを介して連結させる籾受台３８と、走行機体１右側後端部にアーム支柱フレーム３９ａを介して取付ける籾受アーム体３９を設ける。また、アーム支柱フレーム３９ａの上端側に穀粒排出コンベヤ８後端部の送り終端側を支持させ、穀粒排出コンベヤ８後端部の送り終端側に籾投入口８ａを設けるものであり、籾受アーム体３９に籾袋３７を吊下げ、籾投入口８ａに籾袋３７の開口部を装着し、籾投入口８ａから排出される穀粒が籾袋３７内部に充填される。一方、揺動選別盤２６上面側の軽い藁屑等は、排塵口２３下面側の排塵流下板体２３ａ上面に向けて移動して、脱穀部９右側の排塵口２３から圃場に排出される。
【００２５】
一方、図４〜６に示す如く、運転操作部５には、操縦コラム４１と、オペレータが座乗する運転座席４２とを配置している。操縦コラム４１には、走行機体１の進路を変更する左右のサイドクラッチレバー４３，４４と、走行機体１の移動速度を切換える走行変速レバー４５と、刈取部３または脱穀部９を駆動または停止操作する作業クラッチレバー４６と、刈取部３を昇降操作する刈取昇降レバー４７と、駐車ブレーキレバー４８が配置されている。また、操縦コラム４１の後面側に歩行用ハンドル４９を後方に向けて突設させ、歩行用ハンドル４９の左側握り部にアクセルレバー４０を取付けている。収穫作業において操作頻度の低い作業クラッチレバー４６と刈取昇降レバー４７は、操縦コラム４１における上面高さまたはそれより低い左側位置または後側位置に配置されるものであり、作業クラッチレバー４６と刈取昇降レバー４７の誤操作を低減できる。収穫作業において操作頻度の高いサイドクラッチレバー４３，４４と走行変速レバー４５は、操縦コラム４１における上面高位置に配置されるものであり、走行速度変更または進路変更などの運転操作性を向上できる。サイドクラッチレバー４３，４４と走行変速レバー４５機体側方からの緊急操作が必要になる駐車ブレーキレバー４８は、操縦コラム４１右側の機外側面に配置されるものであり、歩み板などが必要になる移動作業（圃場に出入する作業、または運搬用トラック荷台に積み下ろす作業）などにおいて、操縦コラム４１上面右側に配置されたサイドクラッチレバー４３，４４と、駐車ブレーキレバー４８が、操縦コラム４１の右機外側方の圃場から緊急操作できる。
【００２６】
他方、図７〜図１０に示す如く、走行機体１の下面側に左右の前支脚体３２及び後支脚体３３を下向きに突設させ、走行機体１下面側に左右の各支脚体３２，３３を介して左右のトラックフレーム５０を配置している。トラックフレーム５０には、履帯２にエンジン７の動力を伝える駆動スプロケット５１と、履帯２のテンションを維持するテンション機構５３を介してテンションローラ５２と、履帯２の接地側を接地状態に保持する複数のトラックローラ５４を設けている。前記テンションローラ２３によって履帯２の前側を支持させ、駆動スプロケット５１によって履帯２の後側を支持させ、トラックローラ５４によって履帯２の接地側を水平姿勢に支持させ、履帯２の非接地側を前低後高姿勢に支持させるように構成している。
【００２７】
次に、図７〜図１２を参照してコンバインの駆動構造を説明する。図１２に示す如く、走行油圧ポンプ及び油圧モータが内蔵された走行変速用の油圧無段変速機６４をミッションケース６３に設ける。走行機体１の中央上面にエンジン７を搭載し、エンジン７後方の走行機体１後部にミッションケース６３を配置する。また、エンジン７から左側方に突出させた出力軸６５上の走行駆動プーリ６９と、ミッションケース６３から左側方に突出させた入力軸６６上の変速入力プーリ７０を、前側走行出力ベルト６７ａと後側走行出力ベルト６７ｂを介して連結する。また、テンションローラ形の走行クラッチ６８にて前側走行出力ベルト６７ａを緊張させ、エンジン７からミッションケース６３に動力を伝達して、左右の履帯２を駆動するように構成している。なお、図５、図９、図１７に示す如く、変速入力プーリ７０左側の機外側面に入力プーリファン７０ａを固着し、入力プーリファン７０ａにて油圧無段変速機６４を空冷するように構成している。
【００２８】
加えて、走行機体１上に中間フレーム１３１を後傾姿勢に立設させ、中間フレーム１３１の上端側に中間軸１３２を介して左側中間プーリ１３３と右側中間プーリ１３４を一体的に回動可能に軸支し、走行駆動プーリ６９と左側中間プーリ１３３の間に走行クラッチ６８を介して前側走行出力ベルト６７ａを掛け回すと共に、右側中間プーリ１３４と変速入力プーリ７０の間に後側走行出力ベルト６７ｂを掛け回している。エンジン７後側のミッションケース６３を機体右側寄りに配置し、走行駆動プーリ６９の取付け位置に対して変速入力プーリ７０の取付け位置を走行機体１の中央寄りに形成する。後側走行出力ベルト６７ｂ後端側の変速入力プーリ７０に支持された入力プーリファン７０ａは、前側走行出力ベルト６７ａの後側方に配置される。左右幅広のエンジン７の後方で左右履帯２の間に、油圧無段変速機６４が一体的に上載固定されたミッションケース６３を設置でき、重量部品であるエンジン７とミッションケース６３を機体左右幅中央部に支持して、機体の左右方向の重量バランスを良好に形成している。
【００２９】
図７〜図１２に示す如く、前記刈取部３と扱胴２１を駆動するためのカウンタ軸７２を備える。左側軸受体７１ａと右側軸受体７１ｂを介して走行機体１上面側にカウンタ軸７２を回転自在に設ける。エンジン７から左側方に突出させた出力軸６５上の脱穀駆動プーリ５７と、カウンタ軸７２左側端部のカウンタ軸プーリ５８を、脱穀駆動ベルト５９を介して連結する。テンションローラ形の作業クラッチ６０にて脱穀駆動ベルト５９を緊張させ、エンジン７からカウンタ軸７２に動力を伝達させる。また、カウンタ軸７２右側端部にカウンタ軸スプロケット７３と穀粒送出スプロケット７６を軸支する。カウンタ軸スプロケット７３と、扱胴軸２０右側端部の扱胴軸入力スプロケット７４を、脱穀駆動チェン７５にて連結し、カウンタ軸７２を介して扱胴２１を駆動するように構成している。また、穀粒送出スプロケット７６と、穀粒取出コンベヤ３６右側端部の送出入力スプロケット７７を、送出駆動チェン７８にて連結し、カウンタ軸７２を介して穀粒取出コンベヤ３６を駆動するように構成している。
【００３０】
加えて、穀粒取出コンベヤ３６左側端部にベベルギヤ機構７９を介して穀粒排出コンベヤ８の送り始端側を連結し、穀粒取出コンベヤ３６と穀粒排出コンベヤ８を連動して駆動するように構成している。また、穀粒取出コンベヤ３６右側端部の揺動入力スプロケット１３５に揺動入力チェン１３６を介して揺動入力軸１３７上の揺動駆動スプロケット８０を連結し、揺動入力軸１３７にベベルギヤ機構８１を介して揺動選別盤２６の揺動駆動軸３１を連結し、穀粒取出コンベヤ３６を介して揺動選別盤２６を上下左右に揺動駆動するように構成している。一方、扱胴軸２０左側端部のファン駆動スプロケット８２と、送風ファン３４軸上の送風ファンスプロケット８３を、ファン駆動チェン８４にて連結し、扱胴２１と送風ファン３４を連動して駆動するように構成している。操縦コラム４１の左側部に配置した作業クラッチレバー４６の作業クラッチ６０入り操作にて、脱穀部９の各部（扱胴２１、各コンベヤ８，３６、揺動選別盤２６、送風ファン３４）を定速回転数にて駆動している。
【００３１】
図１〜図１２に示す如く、刈刃１５を有する刈取部３と、扱胴２１を有する脱穀部９と、走行部としての履帯２及びエンジン７を設ける走行機体１を備え、刈取部３から脱穀部９に穀稈を供給するコンバインにおいて、エンジン７と脱穀部９間の走行機体１上面にカウンタ軸７２を配置し、エンジン７の出力プーリとしての脱穀駆動プーリ５７にカウンタ軸７２をベルト５９連結し、前記カウンタ軸７２を介して刈取部３と脱穀部９にエンジン７の駆動力を伝達するように構成している。したがって、コンバイン各部の駆動構造を簡略化して、コンバイン全体の小型化を簡単に達成でき、穀稈の刈取幅を確保しながら機体全体をコンパクトに構成可能な軽量構造の小型コンバインを低コストに構成できる。
【００３２】
図４〜図１２に示す如く、扱胴２１を左右向きに軸支すると共に、脱穀部９後方の走行機体１上面にエンジン７を設置する構造であって、左右の軸受としての左側軸受体７１ａと右側軸受体７１ｂを介して走行機体１にカウンタ軸７２を左右向きに横架させ、エンジン７左側の脱穀駆動プーリ５７（出力プーリ）にカウンタ軸７２の左側を脱穀駆動ベルト５９にてベルト連結し、カウンタ軸７２の右側に扱胴軸２０の右側を脱穀駆動チェン７５にてチェン連結している。したがって、刈取部３から脱穀部９にエンジン７の出力を伝達する構造などに比べ、扱胴軸２０を中心にして作業部駆動径路を簡単に構成でき、前記作業部駆動径路の組付けまたはメンテナンス作業性などを向上できる。
【００３３】
図４〜図１２に示す如く、脱穀部９の底部に揺動選別盤２６と穀粒取出コンベヤ３６を備え、カウンタ軸７２の右側に穀粒取出コンベヤ３６軸の右側を送出駆動チェン７８にてチェン連結し、揺動選別盤２６の揺動駆動軸３１に穀粒取出コンベヤ３６軸の右側を揺動入力チェン１３６にてチェン連結し、エンジン７・脱穀部９左側の穀粒排出コンベヤ８軸下端部に穀粒取出コンベヤ３６軸の左端部を連結している。したがって、脱穀部９周りの駆動構造を簡略化できるものでありながら、揺動選別盤２６の選別機能または穀粒取出コンベヤ３６または穀粒排出コンベヤ８の搬出機能を適正に維持できる。
【００３４】
図４〜図１２に示す如く、揺動選別盤２６の上面側に扱胴２１を左右向きに配置し、揺動選別盤２６の下面側に穀粒取出コンベヤ３６を左右向きに配置する構造であって、前記エンジン７設置面に対して揺動選別盤２６設置面を略同位置高さに形成すると共に、後ろ向きに延設させる脱穀部９左側の穀粒排出コンベヤ８とエンジン７の間に、揺動選別盤２６に選別風を供給するための送風ファン３４を配置している。したがって、脱穀部９の支持高さを押さえながら、エンジン７前方に脱穀部９を配置できる。揺動選別盤２６と送風ファン３４をコンパクトに配置できる。送風ファン３４から揺動選別盤２６に向けて供給する選別風量を容易に確保できるものでありながら、送風ファン３４から揺動選別盤２６に向けて選別風を供給するための送風ファンダクト３５などもコンパクトに配置できる。
【００３５】
さらに、図１、図９〜図１２、図２０〜図２４に示す如く、扱胴軸２０左側端部の扱胴軸出力スプロケット８５と、刈取部３の昇降支点である刈取入力軸１８左側端部の刈取入力スプロケット８６を、刈取入力チェン８７にて連結し、刈取部３全体を昇降動可能に支持する刈取入力軸１８を介して、扱胴２１と供給コンベヤ１７を連動して駆動するように構成している。図２０〜図２４に示す如く、前記刈取部３の穀物ヘッダー１２左側部の後面側に一対のヘッダー駆動軸受体１４１を介してヘッダー駆動軸９１を設ける。ヘッダー駆動軸９１の右側端部に、ヘッダー駆動チェン９０及びヘッダー駆動スプロケット８８，８９を介して刈取入力軸１８の左側端部を連結する。掻込みオーガ１３を軸支する掻込み軸９３を備える。掻込み軸９３の左側端部に、掻込み駆動チェン９２及び掻込み駆動スプロケット９４，９５を介してヘッダー駆動軸９１の左側端部を連結し、刈取入力軸１８とヘッダー駆動軸９１を介して掻込みオーガ１３を駆動するように構成している。
【００３６】
なお、脱穀部９の機筐前面に左右のフィーダハウス軸受体１４０をボルト締結させ、左右のフィーダハウス軸受体１４０に刈取入力軸１８の左右両端部を回動可能に軸支し、脱穀部９の前部にフィーダハウス１１の穀稈送り終端部を回動可能に連結すると共に、穀物ヘッダー１２左側部の後面側に軸受フレーム１４２を固設させ、軸受フレーム１４２に一対のヘッダー駆動軸受体１４１をボルト締結している。
【００３７】
また、図１、図１２、図２０〜図２４に示す如く、掻込みリール１４を軸支するリール軸９６を備え、左右の昇降支持フレーム１５１先端部にリール軸９６の左右端部を回動可能に軸支している。穀物ヘッダー１２上面の左右端部に左右のリール昇降支点ブラケット１５２を設け、左右のリール昇降支点ブラケット１５２の昇降支点ボス部１５２ａと、左右の昇降支持フレーム１５１基端部の昇降支持取付け座１５１ａに左右のリール昇降支点軸１５３を機外側方から着脱可能に貫通させ、左右のリール昇降支点軸１５３機内側端部の輪溝に機内側止め輪１５４を着脱可能に係止している。穀物ヘッダー１２の上面側に左右のリール昇降支点軸１５３を介して掻込みリール１４を昇降動可能に配置するものであり、機内側止め輪１５４を外して、左右のリール昇降支点軸１５３を抜き取ることにより、掻込みリール１４を取外し可能に構成している。なお、機内側止め輪１５４に代えて、締結ボルトなどを利用して、左右のリール昇降支点軸１５３機内側端部を着脱可能に係止してもよい。
【００３８】
また、穀物ヘッダー１２の左右側面に左右の昇降支持フレーム１５１の中間部を支持する伸縮可能な支持高さ調節アーム１５５を備え、支持高さ調節アーム１５５を多段的に伸縮させて、掻込みリール１４の支持高さを多段階に変更可能に構成している。なお、支持高さ調節アーム１５５を油圧シリンダにて形成し、前記油圧シリンダの油圧力にて掻込みリール１４の支持高さを無段階に変更することも可能である。
【００３９】
さらに、左側のリール昇降支点軸１５３の左端側を左側機外方向に延設させ、左側のリール昇降支点ブラケット１５２の昇降支点ボス部１５２ａと、左側の昇降支持フレーム１５１基端部の昇降支持取付け座１５１ａに左側のリール昇降支点軸１５３の右側部を着脱可能に貫通させると共に、左側のリール昇降支点軸１５３の左側部に、リール駆動スプロケット９８とリール駆動プーリ１６１を遊転軸支している。リール駆動スプロケット９８の左側面とリール駆動プーリ１６１の右側面を一体的に圧着させてボルト１６２締結する。左側のリール昇降支点軸１５３の中間部に、リール駆動スプロケット９８とリール駆動プーリ１６１をボールベヤリング軸受にて回動可能に支持している。
【００４０】
図１２、図２４に示す如く、ヘッダー駆動軸９１の左側端部に設けたリール入力スプロケット９９とリール駆動スプロケット９８にリール駆動チェン９７を掛け回すと共に、リール軸９６の左側端部に設けたリール従動プーリ１６３とリール駆動プーリ１６１にリール駆動ベルト１６４を掛け回している。リール駆動テンションアーム１６５先端部にリール駆動テンションプーリ１６６を回動可能に軸支させ、リール駆動ベルト１６４にリール駆動テンションプーリ１６６をリール駆動テンションバネ１６７力にて弾圧させ、リール駆動テンションプーリ１６６にてリール駆動ベルト１６４を緊張支持する。リール駆動チェン９７とリール駆動ベルト１６４を介して、ヘッダー駆動軸９１にリール軸９６を連動連結している。
【００４１】
また、リール駆動テンションアーム１６５基端側のアームボス部１６５ａに左側のリール昇降支点軸１５３の機外側端部を貫通させ、左側のリール昇降支点軸１５３機外側端部の輪溝に機外側止め輪１６８を着脱可能に係止している。機外側止め輪１６８を外した状態下で、一体的なリール駆動スプロケット９８とリール駆動プーリ１６１、またはリール駆動テンションアーム１６５を、左側のリール昇降支点軸１５３の左端側に着脱可能に構成している。なお、リール駆動チェン９７をチェンカバー体１６９に内設すると共に、リール駆動ベルト１６４をベルトカバー体１７０に内設している。
【００４２】
さらに、掻込み軸９３の右側端部には、刈刃駆動クランク機構１００を介して刈刃１５が連結されている。作業クラッチレバー４６の作業クラッチ６０入り操作にて、刈取部３の各部（供給コンベヤ１７と、掻込みオーガ１３と、掻込みリール１４と、刈刃１５）が駆動されて、圃場の未刈り穀稈の穂先側を連続的に刈取るように構成している。なお、稈元切断刃１９を設ける構造では、刈取入力軸１８の右側端部に、稈元切断チェン１０１及びスプロケット１０２，１０３を介して稈元切断軸１０４を連結させ、走行機体１前端部に支持された稈元切断軸１０４に稈元切断クランク機構１０５を介して稈元切断刃１９を連結させ、刈刃１５にて穂先側が切断された後で、圃場の穀稈の株元側を稈元切断刃１９にて連続的に切断し、圃場に残る切り株が短尺になるように構成している。
【００４３】
図１〜図３、図２０〜図２４に示す如く、刈刃１５と掻込みリール１４を有する刈取部３と、扱胴２１を有する脱穀部９と、走行部としての履帯２及びエンジン７を設ける走行機体１を備え、掻込みリール１４をリール昇降支点軸１５３に支持高さ変更可能に設けるコンバインにおいて、リール昇降支点軸１５３上に配置したリール駆動プーリ１６１とリール駆動ベルト１６４を介して掻込みリール１４に駆動力を伝達する構造であって、リール駆動ベルト１６４のリール駆動テンションプーリ１６６を、リール昇降支点軸１５３上に配置したリール駆動テンションアーム１６５に取付けている。したがって、昇降支持部に負荷される掻込みリール１４支持荷重を容易に軽減でき、掻込みリール１４の駆動構造を簡略化でき、刈取部３（コンバイン全体）の小型軽量化を簡単に実行できる。また、掻込みリール１４駆動部の部品点数を削減できるものでありながら、掻込みリール１４の速度調節範囲を広くできる。リール駆動ベルト１６４にテンションプーリ１６６を押付ける位置が略一定位置になり、容易にテンション調節できる。
【００４４】
図２０〜図２４に示す如く、掻込みリール１４を昇降支持フレーム１５１の先端側に取付ける構造であって、刈取部３機筐の昇降支点ボス部１５２ａにリール昇降支点軸１５３の一端側を着脱可能に係合固定し、リール昇降支点軸１５３の一端側に昇降支持フレーム１５１の基端側を軸支すると共に、昇降支点ボス部１５２ａからリール昇降支点軸１５３の他端側を機外側方に向けて延設し、リール昇降支点軸１５３の機外側部にリール駆動プーリ１６１とリール駆動テンションアーム１６５を回動可能に軸支している。したがって、掻込みリール１４及び昇降支持フレーム１５１などの昇降部構造を簡単に軽量化でき、昇降支持フレーム１５１の基端部に負荷される掻込みリール１４支持荷重を容易に軽減できるものでありながら、掻込みリール１４の着脱作業性または掻込みリール１４駆動部のメンテナンス作業性などを向上できる。
【００４５】
図２０〜図２４に示す如く、リール駆動プーリ１６１にリール駆動スプロケット９８を一体的に締結固定し、リール駆動スプロケット９８を介して刈取部３に伝達される駆動力を分岐入力し、リール駆動プーリ１６１を介して掻込みリール１４に前記駆動力を伝達するように構成している。したがって、リール駆動スプロケット９８とリール駆動プーリ１６１の軸受構造（軸受ベヤリングなど）を簡略化でき、掻込みリール１４駆動構造の構成部品数を削減でき、掻込みリール１４駆動構造を低コストで構成できる。
【００４６】
図２０〜図２４に示す如く、刈取部３機筐の昇降支点ボス部１５２ａにリール昇降支点軸１５３の一端側を支持させ、リール昇降支点軸１５３の中間部にリール駆動プーリ１６１とリール駆動スプロケット９８を軸支し、リール昇降支点軸１５３の他端側にリール駆動テンションアーム１６５を軸支している。したがって、リール昇降支点軸１５３を介して掻込みリール１４を取付けた状態下で、リール駆動プーリ１６１とリール駆動スプロケット９８を簡単に着脱できると共に、リール駆動プーリ１６１とリール駆動スプロケット９８を取付けた状態下で、リール駆動テンションアーム１６５を簡単に着脱できる。掻込みリール１４の組付け作業性または掻込みリール１４駆動部のメンテナンス作業性などを容易に向上できる。
【００４７】
次いで、図４〜図１１を参照して、走行機体１の構造を説明する。図４〜図１１に示す如く、下部機体フレーム１ａと上部機体フレーム１ｂと支柱フレーム１ｃにて走行機体１を上下多段の櫓構造に構成している。下部機体フレーム１ａの下面側に左右のトラックフレーム５０を介して左右の履帯２を装設する。また、上部機体フレーム１ｂ上面の搭載部にエンジン７下面を連結し、上部機体フレーム１ｂにエンジン７を搭載するものであり、エンジン７は、運転操作部５と籾受部６の間に配置される。即ち、走行機体１の左右幅中央部にエンジン７が配置されると共に、エンジン７を中心に、エンジン７右側方の上部機体フレーム１ｂ後部に運転操作部５が配置され、エンジン７左側方の上部機体フレーム１ｂ後部に籾受部６が配置されるものであり、走行機体１の後方右側に運転操作部５が配置され、走行機体１の後方左側に籾受部６が配置される。エンジン７が搭載された上部機体フレーム１ｂの右側上面にバッテリ５６を配置し、エンジン７の始動電源などにバッテリ５６を利用する。
【００４８】
一方、上部機体フレーム１ｂ前端側よりも前方に下部機体フレーム１ａ前端側を延設し、下部機体フレーム１ａの前端側上面に脱穀部９を載置する。脱穀部９後方側の上部機体フレーム１ａ上面にエンジン７を設置し、脱穀部９上面高さとエンジン７上面高さを一致させて略同一高さに形成している。上部機体フレーム１ａと略同一高さ位置に穀粒選別機構１０の揺動選別盤２６を支持させ、エンジン７の設置面（上部機体フレーム１ｂ上面）よりも脱穀部９の設置面（下部機体フレーム１ａ上面）を低く形成し、走行機体１の低い位置に脱穀部９の刈取穀稈入口（扱口供給板９ａ）を配置可能に構成している。また、下部機体フレーム１ｂの前端部に昇降用油圧シリンダ４を取付けると共に、上部機体フレーム１ａ前端部（脱穀部９後面）と下部機体フレーム１ｂの間に作動油タンク５５を配置し、昇降用油圧シリンダ４などの作動油を作動油タンク５５に貯蔵する。
【００４９】
他方、左右のトラックフレーム５０後端に下部機体フレーム１ａの後端を左右の後支脚体３３にて連結し、左右の後支脚体３３の上端側を下部機体フレーム１ａの後方上方に向けて延設させ、左右の後支脚体３３の上端側にミッションケース６３両側の左右車軸ケース６３ａを着脱可能に支持すると共に、下部機体フレーム１ａの後端側よりも後方に上部機体フレーム１ｂの後端側を延設し、上部機体フレーム１ｂの後端側に上部連結体６２を介してミッションケース６３の上端側を着脱可能に支持するものであり、後支脚体３３の上端側と上部機体フレーム１ｂの後端側にミッションケース６３を後傾姿勢に配置している。ミッションケース６３下端側の左右車軸ケース６３ａに左右駆動スプロケット５１を介して左右履帯２の後端部を張設させている。即ち、後支脚体３３の上端側に駆動スプロケット５１を支持し、トラックフレーム５０前端部のテンションローラ５２と後支脚体３３上端側の駆動スプロケット５１の間に履帯２の非接地側を張設し、履帯２の非接地側を前下がりに傾斜させた前低後高姿勢に支持している。
【００５０】
図４〜図９、図１６、図１８に示す如く、上部機体フレーム１ｂの右側後端部に運転席ブラケット体１１１を設け、運転席ブラケット体１１１に運転席フレーム１１２の前端部を着脱可能にボルト締結している。また、上部機体フレーム１ｂの右側後端から後方に向けて運転席フレーム１１２の後端側を略水平に延設し、運転席フレーム１１２の後端部に運転座席４２を取付け、運転席フレーム１１２を介して運転操作部５後方に運転座席４２を配置し、運転座席４２に座乗したオペレータ（図１、図２の仮想線に示す）が、運転操作部５の各レバー４３，４４，４５，４６，４７，４８等を操作可能に構成している。また、運転座席４２に座乗するオペレータの足元と右の履帯２後端部の間に配置する足元ガード体１１４を備える。運転席フレーム１１２の前後幅中間部から下方に向けてガード体支持フレーム１１５を延設し、ガード体支持フレーム１１５に足元ガード体１１４を固着し、オペレータの足元が右の履帯２に接触するのを足元ガード体１１４にて阻止するように構成している。なお、運転座席４２にオペレータが座乗しない歩行作業では、運転席ブラケット体１１１から運転席フレーム１１２を離脱させ、運転座席４２を取外すものであり、オペレータが歩行用ハンドル４９を握りながら、圃場を歩行移動して、収穫作業を実行するように構成している。
【００５１】
加えて、ガード体支持フレーム１１５の下端部に足載せフレーム１１３を固着し、運転座席４２に座乗したオペレータが足を足載せフレーム１１３に載せると共に、運転席フレーム１１２に高さ調節フレーム１１０を介してガード体支持フレーム１１５の上端側を昇降可能にボルト連結している。一方、図５、図７、図１１、図１６、図１７に示す如く、上部機体フレーム１ｂの右側後端部と左側の車軸ケース６３ａに両端側をボルト締結させるミッション保護フレーム１１６を備え、ミッションケース６３の後側をミッション保護フレーム１１６にて囲むと共に、ミッション保護フレーム１１６にミッション保護カバー１１７を取付け、ミッションケース６３上部の油圧無段変速機６４上方側をミッション保護カバー１１７にて覆うように構成している。
【００５２】
図７〜図１１、図１３〜図１８、図２５を参照して、カウンタ軸７２の取付け構造を説明する。図７〜図１１、図２５に示す如く、走行機体１のうち上部機体フレーム１ｂ前部の左右端部に左右の軸受ブラケット体１４３，１４４を一体的に溶接固定し、左の軸受ブラケット体１４３に左側軸受体７１ａをボルト締結し、右の軸受ブラケット体１４４に右側軸受体７１ｂをボルト締結し、左右方向に延設させた前部の上部機体フレーム１ｂの上方にカウンタ軸７２を水平姿勢に架設している。また、図１３〜図１８に示す如く、上部機体フレーム１ｂの左側上面に送風ファン支持フレーム１４５と送風ファン支持側板体１４６を立設させ、送風ファン支持フレーム１４５と送風ファン支持側板体１４６を連結固定し、送風ファン支持側板体１４６の左側面に送風ファン３４のファンケース部３４ａを固着し、エンジン７左側の前部に送風ファン３４を配設している。
【００５３】
加えて、送風ファン支持フレーム１４５に脱穀テンションアーム１４７基端側を取付け、前方に延設した脱穀テンションアーム１４７先端側に作業クラッチ６０を配置し、作業クラッチ６０を介して脱穀駆動ベルト５９を張設し、エンジン７の出力軸６５にカウンタ軸７２を連結させている。また、中間フレーム１３１にテンションアーム軸１４８を設け、走行クラッチ６８が支持された走行テンションアーム１４９と、走行出力用のテンションプーリ１８１が支持された出力テンションアーム１８２を、テンションアーム軸１４８を介して中間フレーム１３１に支持させている。
【００５４】
図１、図７〜図１７に示す如く、刈刃１５を有する刈取部３と、扱胴２１を有する脱穀部９と、走行部としての履帯２及びエンジン７を設ける走行機体１を備え、刈取部３から脱穀部９に穀稈を供給するコンバインにおいて、エンジン７後方の走行機体１にミッションケース６３を配置させ、エンジン７とミッションケース６３間に中間軸１３２を設け、走行機体１の左右向きに中間軸１３２を延設させ、エンジン７とミッションケース６３間の伝達径路を中間軸１３２にて左右方向に偏移させている。したがって、中間軸１３２の取付け位置を上下または左右方向に容易に選定できる。即ち、エンジン７の上下または左右方向の取付け位置と、ミッションケース６３の上下または左右方向の取付け位置が、相互に制限される不具合を低減でき、エンジン７の後側方にミッションケース６３を隣接させて設置できる。例えば、走行機体１の高い中央位置にエンジン７を配置できる一方、走行機体１の低い右寄り位置にミッションケース６３を配置でき、エンジン７及びミッションケース６３設置部の前後幅または左右幅をコンパクトに構成できる。
【００５５】
図７〜図１７に示す如く、エンジン７とミッションケース６３間の伝達径路を前側走行出力ベルト６７ａと後側走行出力ベルト６７ｂにて形成し、前後方向に延設させる前側走行出力ベルト６７ａに対して、前後方向に延設させる後側走行出力ベルト６７ｂを機体中央寄りに偏移させている。したがって、左右の履帯２の間で、走行機体1中央寄りに、エンジン７とミッションケース６３を配置できる。軽量構造の走行機体１の左右重量バランスを容易に設定できる。即ち、コンバイン各部の駆動構造を簡略化して、コンバイン全体の小型化を簡単に達成でき、穀稈の刈取幅を確保しながら機体全体をコンパクトに構成可能な軽量構造の小型コンバインを低コストに構成できる。
【００５６】
図７〜図１７に示す如く、前側走行出力ベルト６７ａの後端部を支持させる左側中間プーリ１３３と、後側走行出力ベルト６７ｂの前端部を支持させる右側中間プーリ１３４を、走行機体１に立設させる同一の支柱フレームとしての中間フレーム１３１の中間軸１３２上に配置している。したがって、前記各中間プーリ１３３，１３４の支持構造を簡略化でき、エンジン７とミッションケース６３間の伝達径路の構成部品数を低減して低コストに構成できると共に、走行出力ベルト６７ａ，６７ｂ仕組みの着脱作業性などを向上できる。
【００５７】
図７〜図１７に示す如く、中間フレーム１３１から機体前方に延設させる走行テンションアーム１４９に前側走行出力ベルト６７ａのテンションプーリとしての走行クラッチ６８を設け、中間フレーム１３１から機体後方に延設させる出力テンションアーム１８２に後側走行出力ベルト６７ｂの走行出力用のテンションプーリ１８１を設け、中間フレーム１３１の同一のテンションアーム軸１４８上に前記各テンションアーム１４９，１８２を支持させている。したがって、走行クラッチ６８及び走行出力用のテンションプーリ１８１及び前記各テンションアーム１４９，１８２の支持構造を簡略化でき、エンジン７とミッションケース６３間の伝達径路の構成部品数を低減して低コストに構成できると共に、走行出力ベルト６７ａ，６７ｂ仕組みの着脱作業性などを向上できる。
【００５８】
図７〜図１７に示す如く、ミッションケース６３に油圧無段変速機６４を上載固定し、油圧無段変速機６４の左側に変速入力プーリ７０と入力プーリファン７０ａを配置する構造であって、エンジン７左側の前側走行出力ベルト６７ａの後側方に入力プーリファン７０ａを配置している。したがって、エンジン７に対して、前記各走行出力ベルト６７ａ, ６７ｂ設置側から離れる右側方向に偏移させてミッションケース６３を支持でき、エンジン７左側の前側走行出力ベルト６７ａの後側方に入力プーリファン７０ａの設置スペースを容易に確保できる。前記各走行出力ベルト６７ａ, ６７ｂとミッションケース６３の左右方向の設置幅を簡単に縮小できる。狭いスペースに動力の伝達系を集中配置して、エンジン７と油圧無段変速機６４間の伝達構造をコンパクト化できる。
【００５９】
一方、図６、図１４、図１８に示す如く、エンジン７後側の右側上部に冷却風取入れ用の開口部７ａを形成し、エンジン７後側の左側上部に冷却風排出用の開口部７ｂを形成し、冷却風取入れ用の開口部７ａからエンジン７のシリンダヘッド部に冷却用外気を取入れ、冷却風排出用の開口部７ｂからエンジン７のシリンダヘッド部の暖気を排出し、エンジン７のシリンダヘッド部を空気冷却するように構成している。また、図１４、図１８、図２５に示す如く、脱穀駆動ベルト５９と、前側走行出力ベルト６７ａと、後側走行出力ベルト６７ｂが配置されたエンジン７の左側にベルトカバー体１８３を張設させている。
【００６０】
即ち、送風ファン支持フレーム１４５の前側に送風ファン支持側板体１４６を立設し、送風ファン支持フレーム１４５の後側にベルトカバー体１８３の左側壁部を立設すると共に、前記各ベルト５９，６７ａ，６７ｂの上面側に沿ってベルトカバー体１８３の上面壁部を前後方向に延設させるものであり、エンジン７の左側で前後方向に延設させる脱穀駆動ベルト５９と、前側走行出力ベルト６７ａと、後側走行出力ベルト６７ｂのそれぞれの上面側と左側面側が、送風ファン支持側板体１４６とベルトカバー体１８３の左側壁部及び上面壁部にて閉塞されるように構成している。
【００６１】
上記の構成により、冷却風排出用の開口部７ｂから排出されるエンジン７のシリンダヘッド部の暖気が、ベルトカバー体１８３の上面壁部の上方に移動するから、エンジン７のシリンダヘッド部の暖気にて前記各ベルト５９，６７ａ，６７ｂが加温されるのを阻止できる。また、送風ファン支持側板体１４６に形成された外気取込み口１４６ａから送風ファン３４に外気を吸入するから、送風ファン支持側板体１４６とベルトカバー体１８３にて覆われた前記各ベルト５９，６７ａ，６７ｂ設置空間の外気が外気取込み口１４６ａを介して送風ファン３４に吸入されるものであり、送風ファン支持側板体１４６とベルトカバー体１８３の下面側開口部（上部機体フレーム１ｂ設置部またはエンジン７載置部の付近）における藁屑が比較的少ない場所から、送風ファン支持側板体１４６とベルトカバー体１８３にて覆われた空間内部に外気が吸込まれ、その空間内部の外気を外気取込み口１４６ａから送風ファン３４に吸入できる。したがって、藁屑などの粉塵が比較的少ない空気を選別風として送風ファン３４から揺動選別盤２６に供給できる。
【００６２】
図１、図４、図５、図１３、図１４、図１８、図１９、図２５に示す如く、刈刃１５を有する刈取部３と、扱胴２１を有する脱穀部９と、走行部２及びエンジン７を設ける走行機体１を備え、刈取部３から脱穀部９に穀稈を供給するコンバインにおいて、脱穀部９とエンジン７を機体の前後に配置し、脱穀部９とエンジン７の一側方に穀粒排出コンベヤ８を配置し、エンジン７と穀粒排出コンベヤ８の間に脱穀部９の風選用送風ファン３４を配置している。したがって、大型の風選用送風ファン３４をコンパクトに設置でき、コンバイン全体の小型化を簡単に達成できると共に、脱穀部９の脱穀選別能力を維持しながら脱穀選別構造を簡略化できる。また、脱穀部９の後方側に、エンジン７搭載スペースまたは操縦部スペースまたは籾受スペースなどを容易に確保できる。穀稈の刈取幅を確保しながら機体全体をコンパクトに構成できる。
【００６３】
図４、図１３、図１８、図１９、図２５に示す如く、脱穀部９の穀粒選別機構１０と送風ファン３４の間を連通させる送風ファンダクト３５を備え、脱穀部９とエンジン７の一側方で機体前後方向に向けて送風ファンダクト３５を延設している。したがって、エンジン７と脱穀部９と送風ファン３４を相互に近接させて配置でき、送風ダクトの取付け構造を簡略化できると共に、穀粒排出コンベヤ８と送風ファンダクト３５を上下二段構造などに集約して設置でき、脱穀部９とエンジン７の一側部スペースを有効に活用して、穀粒排出コンベヤ８と送風ファンダクト３５取付け部をコンパクトに構成できる。
【００６４】
図１３、図１４、図１８、図２５に示す如く、走行機体１の上面のうち、エンジン７と送風ファン３４間の上面に遮蔽板体としての送風ファン支持側板体１４６を立設させ、エンジン７と送風ファン３４の間を送風ファン支持側板体１４６にて仕切ると共に、エンジン７と送風ファン支持側板体１４６の間に送風ファン３４の吸入口（外気取込み口１４６ａ）を開設している。したがって、脱穀部９の穀粒選別機構１０に送風ファン３４を介してエンジン７周辺の熱気を送給でき、エンジン７の冷却効果を容易に確保できるものでありながら、穀粒選別機構１０に送る選別風の温度を高温にするヒートファンとして送風ファン３４の利用が可能になり、外気温度よりも高温の選別風を送風ファン３４から穀粒選別機構１０に送ることができ、脱穀部９の内部湿度を低減でき、脱穀部９の脱粒性能または選別性能を容易に向上できる。
【００６５】
図１３、図１４、図１８、図２５に示す如く、エンジン７と送風ファン支持側板体１４６の間にエンジン７の出力伝達ベルトとしての脱穀駆動ベルト５９を延設させると共に、送風ファン支持側板体１４６の機外側面に送風ファン３４のファンケース部３４ａを取付けている。したがって、エンジン７周辺の熱気にて脱穀駆動ベルト５９が劣化するのを防止でき、脱穀駆動ベルト５９の耐久性を向上できると共に、送風ファン３４の支持部材として遮蔽板機能が備わった送風ファン支持側板体１４６を兼用でき、遮蔽板機能が備わった送風ファン支持側板体１４６とは別に送風ファンのための特別な支持部材を設ける必要がなく、送風ファン３４の取付けコストを低減できるものでありながら、送風ファン３４の取付け構造を簡略化できる。
【００６６】
図５、図１１、図１３、図１８に示す如く、脱穀部９の左右幅内にエンジン７と送風ファン３４を配置し、略面一に形成された脱穀部９と送風ファン３４の各機外側面を介して前記扱胴２１から送風ファン３４にこの駆動力を伝達するように構成している。したがって、機体左右幅内に選別用送風ファン３４を配置させてコンパクトに構成できるものでありながら、刈取部３から脱穀部９にエンジン７の出力を伝達する構造などに比べ、扱胴２１を中心にして扱胴２１の両側方に作業部駆動径路を分割して構成でき、作業部駆動径路の組付けまたはメンテナンス作業性などを簡単に向上できる。
【００６７】
図１４、図１８、図２５などに示す如く、上部機体フレーム１ｂにおけるアーム支柱フレーム３９ａ立設部に台支持フレーム３８ａの前端側を支持させる。左側の履帯２の後側方に台支持フレーム３８ａを延設させ、台支持フレーム３８ａの前端側に籾受仕切り体１１８を設けている。左側の履帯２の後側と籾受部６の前側の間を籾受仕切り体１１８にて遮蔽する。また、台支持フレーム３８ａの後端側に籾受台３８を設ける。例えば、籾受アーム体３９に籾袋３７を装着し、その籾袋３７を籾受台３８上に載置し、その籾袋３７に穀粒を収集する収穫作業の状況下において、籾受台３８上の籾袋３７に向けて左側の履帯２の後側から圃場の泥土が飛散するのを仕切り体１１８にて防止できると共に、籾受台３８上の籾袋３７が左側の履帯２の後側などに接触するのを籾受仕切り体１１８にて阻止できる。なお、籾袋３７の形状などに対応させて、台支持フレーム３８ａに籾受台３８を高さ調節可能に支持することも行える。
【００６８】
さらに、図４〜図６、図１３などに示す如く、ミッション保護カバー１１７と、籾受仕切り体１１８右側部と、ベルトカバー体１８３後部にて、ミッションケース６３後側を覆う。籾受仕切り体１１８左側部にて覆う左側履帯２の後部とミッションケース６３後側に亘って籾受台３８を横架させ、二又形状に分岐させた左右の籾投入口８ａを籾受台３８上方に配置し、左右の籾投入口８ａに籾袋３７を交互に装着し、一方（左の籾投入口８ａ）から籾袋３７に籾を充填完了したときに、操縦コラム４１方向に突出させた投入切換レバー１８５の操作部を操作して、左右の籾投入口８ａ基端部の投入切換シャッタ１８６を切換え、他方（右の籾投入口８ａ）から籾袋３７に籾を充填するように構成している。
【００６９】
なお、籾が充填された籾袋３７を圃場に落下させ、籾投入口８ａに空の籾袋３７を装着する作業と、投入切換レバー１８５の投入切換シャッタ１８６切換え操作にて、穀粒排出コンベヤ８から連続して搬出される籾（穀粒）を、複数の籾袋３７に充填する。また、籾投入口８ａの下面側から操縦コラム４１方向に投入切換レバー１８５を突出させ、籾投入口８ａの上面側から後方上方に向けてインジケータアーム１８７を突出させ、投入切換レバー１８５と投入切換シャッタ１８６とインジケータアーム１８７を一体的に連結させ、投入切換シャッタ１８６の切換方向を確認しながら、運転座席４２側のオペレータにて投入切換レバー１８５を操作して、投入切換シャッタ１８６を切換えるように構成している。
【符号の説明】
【００７０】
１  走行機体
２  履帯（走行部）
３  刈取部
７  エンジン
９  脱穀部
１４  掻込みリール
１５  刈刃
２１  扱胴
９８  リール駆動スプロケット
１５１  昇降支持フレーム
１５２ａ  昇降支点ボス部
１５３  リール昇降支点軸
１６１  リール駆動プーリ
１６４  リール駆動ベルト
１６５  リール駆動テンションアーム
１６６  リール駆動テンションプーリ
【図１】
0006521520.tif 000002
【図２】
0006521520.tif 000003
【図３】
0006521520.tif 000004
【図４】
0006521520.tif 000005
【図５】
0006521520.tif 000006
【図６】
0006521520.tif 000007
【図７】
0006521520.tif 000008
【図８】
0006521520.tif 000009
【図９】
0006521520.tif 000010
【図１０】
0006521520.tif 000011
【図１１】
0006521520.tif 000012
【図１２】
0006521520.tif 000013
【図１３】
0006521520.tif 000014
【図１４】
0006521520.tif 000015
【図１５】
0006521520.tif 000016
【図１６】
0006521520.tif 000017
【図１７】
0006521520.tif 000018
【図１８】
0006521520.tif 000019
【図１９】
0006521520.tif 000020
【図２０】
0006521520.tif 000021
【図２１】
0006521520.tif 000022
【図２２】
0006521520.tif 000023
【図２３】
0006521520.tif 000024
【図２４】
0006521520.tif 000025
【図２５】
0006521520.tif 000026